(57)【要約】【課題】花粉症に悩む患者が建造物内から屋外に外出した際に、屋外の空気中に漂っている花粉などが衣類などに付着するのを防止する繊維処理剤およびそれが用いられた噴霧製品を提供すること、および衣類などの繊維製品に処理した後に速やかに乾燥し、花粉、タバコの嫌な臭いを有する煙粒子やハウスダストなどの空気中浮遊粒子が衣類に付着するのを効果的に防止することができ、花粉などが衣類などに付着した場合には、手軽に除去することができる空気中浮遊粒子の付着防止用繊維処理剤およびそれが用いられた噴霧製品を提供すること。【解決手段】オルガノポリシロキサン、水および低級アルコールを含有してなる空気中浮遊粒子の付着防止用繊維処理剤、ならびに前記繊維処理剤をスプレー容器に充填してなる空気中浮遊粒子の付着防止用噴霧製品。【選択図】なし【特許請求の範囲】
【請求項１】
オルガノポリシロキサン、水および低級アルコールを含有してなる空気中浮遊粒子の付着防止用繊維処理剤。
【請求項２】
低級アルコールがエタノールである請求項１記載の繊維処理剤。
【請求項３】
さらに、ノニオン系界面活性剤およびカチオン系界面活性剤からなる群より選ばれた少なくとも１種の界面活性剤を含有する請求項１または２記載の繊維処理剤。
【請求項４】
水：低級アルコールの重量比が５０：５０〜８０：２０である請求項１〜３いずれか記載の繊維処理剤。
【請求項５】
空気中浮遊粒子が花粉、タバコの煙粒子またはハウスダストである請求項１〜４いずれか記載の繊維処理剤。
【請求項６】
請求項１〜５いずれか記載の繊維処理剤をスプレー容器に充填してなる空気中浮遊粒子の付着防止用噴霧製品。
【発明の詳細な説明】
【技術分野】
【０００１】
本発明は、空気中浮遊粒子の付着防止用繊維処理剤および該空気中浮遊粒子の付着防止用繊維処理剤が充填された空気中浮遊粒子の付着防止用噴霧製品に関する。さらに詳しくは、衣類、布団やソファなどの繊維製品に、スギ花粉などのアレルギーの原因となる花粉や、タバコの煙粒子、ハウスダストなどの空気中浮遊粒子の付着を防止するのに有用な空気中浮遊粒子の付着防止用繊維処理剤および該空気中浮遊粒子の付着防止用繊維処理剤が充填された空気中浮遊粒子の付着防止用噴霧製品に関する。
【背景技術】
【０００２】
日本人がスギなどの花粉によっていわゆる花粉症を患う割合は、人口の１０〜１５％程度であると言われており、花粉症は、今日では、日本人における現代病であるとも考えられている。花粉症は、これに患った者でないとわからない目の痒み、鼻詰まりなどの不快な症状を発現する。
【０００３】
こうした花粉症の対策として、花粉を透過しがたい微細な編目を有するマスクなどが開発されている。しかし、衣類や手回品などに付着した花粉は、屋内に入ってから衣類などから空気中に再飛散することがあるため、屋内でマスクを取り外したときに花粉症が発症することがある。
【０００４】
そこで、繊維構造物に花粉が付着するのを防止するために、コロイダルシリカの微粒子を含有する加工剤を付着させた繊維構造物が提案されている（例えば、特許文献１参照）。
【０００５】
しかしながら、前記加工剤は、繊維素材を加工することによって得られた衣類などの製品に付着させるのではなく、シャツ生地、スカート生地、洋服生地などの繊維構造物にあらかじめ付着させておくことによって用いられる処方のものであり、その繊維構造物に加工剤を付着させた際には、確かにある程度の花粉付着防止性が付与されるものの、繊維構造物から衣類などの製品への加工処理を施したときに、花粉付着防止性が低下するおそれがある。また、前記加工剤には、他の加工剤と併用されることから、花粉付着防止性が阻害されやすいという欠点がある。
【０００６】
したがって、近年、花粉症に悩む患者が建造物内から屋外に外出した際に、屋外の空気中に漂っている花粉が衣類などに付着するのを手軽に防止し、また花粉が衣類などに付着した場合には手軽に除去することができる花粉付着防止用繊維処理剤およびその噴霧製品の開発が待ち望まれている。
【０００７】
【特許文献１】特開２００４−３０４６号公報
【発明の開示】
【発明が解決しようとする課題】
【０００８】
本発明は、前記従来技術に鑑みてなされたものであり、花粉症に悩む患者が建造物内から屋外に外出した際に、また、布団類、洗濯物などを屋外に干す際などに、屋外の空気中に漂っている花粉などが衣類、布団類、洗濯物などに付着するのを防止する繊維処理剤およびそれが用いられた噴霧製品を提供することを課題とする。本発明は、また、これらの衣類などの繊維製品に処理した後に速やかに乾燥し、花粉、タバコの嫌な臭いを有する煙粒子やハウスダストなどの空気中浮遊粒子が衣類などに付着するのを効果的に防止することができ、花粉などが衣類などに付着した場合には、手軽に除去することができる空気中浮遊粒子の付着防止用繊維処理剤およびそれが用いられた噴霧製品を提供することを課題とする。
【課題を解決するための手段】
【０００９】
本発明は、
（１）オルガノポリシロキサン、水および低級アルコールを含有してなる空気中浮遊粒子の付着防止用繊維処理剤、ならびに
（２）前記繊維処理剤をスプレー容器に充填してなる空気中浮遊粒子の付着防止用噴霧製品
に関する。
【発明の効果】
【００１０】
本発明の空気中浮遊粒子の付着防止用繊維処理剤およびそれが用いられた噴霧製品は、花粉症に悩む患者が建造物内から屋外に外出した際に、また、布団類、洗濯物などを屋外に干す際などに、屋外の空気中に漂っている花粉などが衣類、布団類、洗濯物などに付着するのを防止するために手軽に使用することができ、これらの衣類などの繊維製品に処理した後に速やかに乾燥し、花粉、タバコの嫌な臭いやハウスダストなどの空気中浮遊粒子が衣類などに付着するのを効果的に防止することができ、また花粉などの空気中浮遊粒子が衣類などに付着した場合には、手軽に除去することができるという効果を奏する。
【発明を実施するための最良の形態】
【００１１】
空気中浮遊粒子としては、例えば、花粉、タバコの煙粒子、ハウスダストなどが挙げられる。また、ハウスダストとしては、例えばダニの死骸や糞、カビの胞子、ペットの体毛等が挙げられる。発明の繊維処理剤は、これらの空気中浮遊粒子が繊維に付着するのを効果的に防止することができる。なお、通常、花粉の粒子径が１０〜１００μｍ程度、タバコの煙粒子の粒子径が０．０１〜０．１μｍ程度、ハウスダストの粒子径が１〜５００μｍ程度であることから、本発明の繊維処理剤は、粒子径が０．０１〜５００μｍ程度である空気中浮遊粒子の付着防止に優れている。
【００１２】
本発明の繊維処理剤は、花粉症に悩む患者が建造物内から屋外に外出した際に、また、布団類、洗濯物などを屋外に干す際などに、屋外の空気中に漂っている花粉などが衣類、布団類、洗濯物などに付着するのを効果的に防止することができるという利点を有する。また、本発明の繊維処理剤は、これらの衣類などの繊維製品に処理した後に速やかに乾燥するので、花粉が衣類などに付着するのを効果的に防止することができ、また花粉が衣類などに付着した場合には、手軽に除去することができるという利点も有する。
【００１３】
また、タバコの嫌な臭いに関しては、タバコの嫌な臭いは、アセトアルデヒド、アンモニア、酢酸などのガス成分と、ニコチンやタールなどの煙粒子とに基づくものと考えられており、特に後に残る嫌な臭いは、主として、ニコチンやタールなどの煙粒子に起因するものと考えられている。本発明の繊維処理剤は、こうしたタバコの臭いが衣類などの繊維製品に付着するのを効果的に防止するという利点も有する。
【００１４】
さらに、本発明の繊維処理剤は、一般家屋の空気中に漂っているハウスダストが繊維製品に付着するのを防止するという性質も有するため、例えば、ダニの死骸や糞、カビの胞子などを含むハウスダストが衣類などの繊維製品に付着するのを効果的に防止することができるので、ダニアレルギーの予防に応用することが期待されるものである。
【００１５】
本発明の空気中浮遊粒子の付着防止用繊維処理剤は、前記したように、オルガノポリシロキサン、水および低級アルコールを含有するものである。
【００１６】
本明細書にいうオルガノポリシロキサンとは、ケイ素と酸素とが結合した有機化合物の総称を意味する。
【００１７】
オルガノポリシロキサンとしては、水溶性または水分散性を有するものが好適に用いられる。なお、本明細書において、水溶性とは、２５℃の水１００ｇに０．０１ｇ以上溶解することを意味する。
【００１８】
オルガノポリシロキサンの代表例としては、シリコーンオイル、オルガノシリケート等が挙げられる。これらの中では、空気中浮遊粒子の付着防止性の観点から、オルガノシリート粒子が好ましい。
【００１９】
シリコーンオイルの例としては、ジメチルシリコーンオイル、メチルフェニルシリコーンオイル、メチル水素（メチルハイドロジェン）シリコーンオイル、自己乳化型シリコーンオイル、それらの変性体である変性シリコーンオイルなどが挙げられるが、本発明は、かかる例示のみに限定されるものではない。
【００２０】
変性シリコーンオイルとしては、例えば、ジメチルシリコーンのメチル基の一部を置換したアルキル変性シリコーンオイル、ポリエーテル変性シリコーンオイル、アルキル・アラルキル変性シリコーンオイル、アルキル・ポリエーテル変性シリコーンオイル、アルキル・アラルキル・ポリエーテル変性シリコーンオイル、アルキル・高級アルコール変性シリコーンオイル、高級脂肪酸エステル変性シリコーンオイル、メチルスチリル変性シリコーンオイル、フルオロアルキル変性シリコーンオイル、親水性特殊変性シリコーンオイル、アミノ変性シリコーンオイル、アミノ・ポリエーテル変性シリコーンオイル、アミド・ポリエーテル変性シリコーンオイル、エポキシ変性シリコーンオイル、エポキシ・ポリエーテル変性シリコーンオイル、カルボキシル変性シリコーンオイル、カルボキシル・ポリエーテル変性シリコーンオイル、カルビノール変性シリコーンオイル、フェノール変性シリコーンオイル、メタクリル変性シリコーンオイル、メルカプト変性シリコーンオイル、異種官能基変性シリコーンオイルなどが挙げられるが、本発明は、かかる例示のみに限定されるものではない。
【００２１】
オルガノシリケートの例としては、テトラメトキシシラン、テトラエトキシシラン、テトラ−ｎ−プロポキシシラン、テトライソプロポキシシラン、テトラ−ｎ−ブトキシシラン、テトラ−２−メトキシエトキシシラン、テトラ−２−エチルヘキシロキシシラン、メチルトリメトキシシラン、エチルトリエトキシシラン、プロピルトリエトキシシラン、ブチルトリエトキシシラン、ペンチルトリエトキシシラン、オクチルトリエトキシシラン、ドデシルトリエトキシシラン、ジメチルジクロロシラン、トリメチルクロロシラン、メチルトリクロロシラン、ジメチルビニルトリエトキシシラン、ジメトキシジエトキシシラン、フェニルトリエトキシシラン、テトラフェノキシシラン、これらをフッ素変性した化合物およびこれらの縮合物；γ−グリシドキシプロピルトリメトキシシラン、γ−グリシドキシプロピルトリエトキシシラン、γ−メタクリロキシプロピルトリメトキシシラン、γ−メルカプトプロピルトリメトキシシラン、γ−アミノプロピルトリメトキシシラン、これらをフッ素変性した化合物、これらの縮合物およびこれらの部分加水分解物などが挙げられ、好ましくは、炭素数１〜８のアルキル基及びアルコキシ基の少なくとも１つを有するオルガノシリケートである。本発明は、かかる例示のみに限定されるものではない。
【００２２】
オルガノシリケート粒子の粒子径は、花粉などの空気中浮遊粒子の付着防止性を高める観点から、１０〜１０００ｎｍ、好ましくは１０〜５００ｎｍ、より好ましくは３０〜１００ｎｍであることが望ましい。
【００２３】
水溶性を有するオルガノポリシロキサンは、水に溶解させることによって用いることができる。また、水分散性を有するオルガノポリシロキサンは、水中に懸濁させたり、乳化剤で水中に乳化させることによって用いることができる。
【００２４】
本発明の繊維処理剤におけるオルガノポリシロキサンの含有量は、花粉などの空気中浮遊粒子の付着防止性および使用性の観点から、ケイ酸含有量に換算して、０．０１〜２重量％、好ましくは０．０３〜１．５重量％、より好ましくは０．０５〜１重量％、さらに好ましくは０．１〜０．５重量％であることが望ましい。
【００２５】
水としては、例えば、精製水などを用いることができる。
低級アルコールの炭素数は、オルガノポリシロキサンの分散安定性の観点から、１〜５であることが好ましく、１〜４であることがより好ましく、２であることがさらに好ましい。したがって、低級アルコールのなかでは、エタノールが好適である。
【００２６】
水：低級アルコールの重量比は、繊維処理剤の乾燥性および使用性を高める観点、ならびに引火性を低減させるとともに刺激性を和らげる観点から、４０：６０〜１００：０であることが好ましく、５０：５０〜８０：２０であることがより好ましく、６０：４０〜７０：３０であることが更に好ましい。
【００２７】
本発明の繊維処理剤における水と低級アルコールとの合計含有量は、オルガノポリシロキサンの分散安定性、繊維処理剤の乾燥性および使用性を考慮して決定される。前記水と低級アルコールとの合計含有量は、通常、オルガノポリシロキサンと、所望により用いられる界面活性剤および添加剤との残部であることが好ましい。
【００２８】
本発明の繊維処理剤には、オルガノポリシロキサンの分散安定性を高めるとともに、花粉などの空気中浮遊粒子を繊維に引きつける静電気の発生を抑制する観点から、ノニオン系界面活性剤およびカチオン系界面活性剤からなる群より選ばれた少なくとも１種の界面活性剤を用いることが好ましい。
【００２９】
ノニオン系界面活性剤としては、例えば、脂肪酸アルカノールアミド、ポリオキシエチレンアルキルエーテル、ソルビタン脂肪酸エステル、ポリオキシエチレンアルキルフェニルエーテル、アルキルグリコシド、ショ糖脂肪酸エステル、ポリオキシエチレンソルビタン脂肪酸エステル、ポリオキシエチレン脂肪酸エステル、エチレングリコール脂肪酸エステル、フッ素系ノニオン界面活性剤などが挙げられるが、本発明は、かかる例示のみに限定されるものではない。ノニオン系界面活性剤のなかでは、繊維の帯電防止の観点から、脂肪酸アルカノールアミド系がより好ましい。
【００３０】
好適な脂肪酸アルカノールアミド系の具体例としては、ラウリン酸ジエタノールアミド、ヤシ油脂肪酸ジエタノールアミド、ステアリン酸ジエタノールアミド、ラウリン酸モノエタノールアミド、ラウリン酸モノイソプロパノールアミド、ステアリン酸モノエタノールアミド、オレイン酸モノエタノールアミドなどが挙げられ、これらは、それぞれ単独で用いてもよく、２種以上を併用してもよい。
【００３１】
カチオン系界面活性剤としては、例えば、脂肪族アミン塩、脂肪族４級アンモニウム塩、塩化ベンザルコニウム塩、塩化ベンゼトニウム、ピリジニウム塩、イミダゾリニウム塩等が挙げられるが、本発明は、かかる例示のみに限定されるものではない。カチオン系界面活性剤のなかでは、帯電防止の観点から、脂肪族第４級アンモニウム塩がより好ましい。
【００３２】
好適な脂肪族第４級アンモニウム塩の具体例としては、ジ（牛脂アルキル）メチルエチルアンモニウムエチルサルフェート、ジステアリルジメチルアンモニウムメチルサルフェート、ジ（牛脂アルキル）ジメチルアンモニウムアセテート、ジラウリルアンモニウムホスフェート、ジ（牛脂アルキル）ジメチルアンモニウムクロライド、ステアリルトリメチルアンモニウムクロライド、ラウリルトリメチルアンモニウムクロライドなどが挙げられ、これらは、それぞれ単独で用いてもよく、２種以上を併用してもよい。
【００３３】
本発明の繊維処理剤における界面活性剤の含有量は、オルガノポリシロキサンの分散安定性を高める観点から、０．１重量％以上、好ましくは０．２重量％以上であることが望ましく、また繊維処理剤のタックの発生を抑制するとともに花粉などの空気中浮遊粒子の付着防止性を高める観点から、２重量％以下、好ましくは１重量％以下であることが望ましい。これらの観点から、本発明の繊維処理剤における界面活性剤の望ましい含有量は、０．１〜２重量％、好ましくは０．２〜１重量％である。
【００３４】
本発明の繊維処理剤は、オルガノポリシロキサン、水および低級アルコール、必要により、界面活性剤を所定量で用い、これらを混合することによって容易に調製することができる。なお、界面活性剤を用いた場合には、オルガノポリシロキサンの分散安定性がより一層良好となる。
【００３５】
本発明の繊維処理剤には、例えば、消臭剤、殺虫剤、殺ダニ剤、忌避剤、殺菌剤、アレルゲン失活剤、アレルゲン除去剤、防黴防腐剤、帯電防止剤、光沢剤、安定化剤、香料、ｐＨ調整剤、風合向上剤などの添加剤を適量で含有させてもよい。添加剤の量は、その種類などによって異なるので一概には決定することができないため、その種類などに応じて、本発明の目的が阻害されない範囲内で調整することが好ましい。
【００３６】
本発明の繊維処理剤は、スプレー容器に充填することにより、空気中浮遊粒子の付着防止用噴霧製品として用いることが好ましい。このように噴霧製品として用いた場合には、容易に携帯して持ち運びをすることができるのみならず、衣類などに花粉などの空気中浮遊粒子が付着するのを防止するために、外出前などに手軽に使用することができるという利点がある。
【００３７】
本発明においては、花粉の付着防止には、繊維処理剤をスプレー容器内に充填した花粉付着防止用スプレー製品を好適に使用することができる。
【００３８】
スプレー容器の種類には特に限定がないが、使用時の簡便性の観点から、例えば、トリガー式スプレー容器、ポンプ式スプレー容器、蓄圧式スプレー容器などが好ましい。スプレー容器の内容量は、使用性などの観点から、通常、好ましくは１０〜１０００ｍＬ程度、より好ましくは３０〜７５０ｍＬ程度、さらに好ましくは５０〜５００ｍＬ程度であり、また携帯性を考慮すれば、５０〜３５０ｍＬ程度であることが好ましい。
【００３９】
なお、本発明の繊維処理剤およびそれが用いられた噴霧製品を適用しうる繊維の種類には特に限定がなく、例えば、綿、麻、羊毛などの天然繊維であってもよく、ナイロン、ポリエステル、アクリルなどの合成繊維であってもよく、あるいはビスコースレーヨンなどの再生繊維であってもよい。
【００４０】
本発明の繊維処理剤の使用量は、繊維製品の種類などによって異なるので一概には決定することができないが、通常、０．５〜５０ ｍＬ／ｍ2 程度、好ましくは１〜３０ ｍＬ／ｍ2 程度、より好ましくは５〜２０ ｍＬ／ｍ2 程度、更に好ましくは５〜１０ ｍＬ／ｍ2程度であることが望ましい。
【００４１】
本発明の噴霧製品は、例えば、外出前や屋外に干す前などに、衣類や布団類などの繊維製品に軽く噴霧するだけで、繊維製品に花粉、タバコの煙粒子、ハウスダストなどの空気中浮遊粒子が付着するのを容易に防止することができ、また、噴霧後には、繊維処理剤を速やかに乾燥させることができる。
【００４２】
尚、本発明の繊維処理剤および噴霧製品を適用し得る繊維製品としては、繊維が含まれる製品であれば特に限定されるものではなく、例えば、衣類、履物類、カバン類、布団類、家具・ファブリック類などが例示される。ここで衣類とは、身につけることができる繊維製品であれば特に限定されるものではなく、例えば、コート、ジャケット、シャツ、スカート、ズボン、帽子、マスク、スカーフ、マフラー、ストール、手袋、ストッキングなどが例示される。布団類としては、例えば、掛け布団、敷き布団、マット、シーツなどが例示される。家具・ファブリック類としては、例えば、カーテン、ソファー、ソファーカバー、テーブルクロス等が例示される。
【００４３】
また、本発明の繊維処理剤および噴霧製品は、繊維製品が濡れた状態にあっても適用することができる。すなわち、例えば屋外に干す前などの、湿った状態の洗濯物にも本発明の繊維処理剤および噴霧製品を適用することができる。
【実施例】
【００４４】
次に、本発明を実施例に基づいてさらに詳細に説明するが、本発明はかかる実施例のみに限定されるものではない。
【００４５】
実施例１
オルガノポリシロキサン０．６ｇ〔オルガノシリケート、量はケイ酸含有量への換算値、粒状物（粒径：約６０ｎｍ）〕を、表１に示す水と低級アルコール（エタノール）との重量比となるように水と低級アルコールとを混合した混合溶媒３００ｇに添加し、十分に攪拌することにより、繊維処理剤を得た。
【００４６】
得られた繊維処理剤の性状を目視で観察し、以下の評価基準に基づいて評価した。その結果を表１に示す。
【００４７】
（繊維処理剤の性状の評価基準）
分散：わずかに白濁しているが、完全に分散しており、透明性がある。
白濁：白濁しているが、ほぼ分散している。
溶解：透明であり、完全に溶解している。
【００４８】
次に、得られた繊維処理剤を３５０ｍＬ容のトリガー式スプレー容器内に充填し、噴霧製品を作製した。この噴霧製品から、繊維処理剤を２０ｍＬ／ｍ2の量で大きさが１０ｃｍ×１０ｃｍの木綿布に噴霧することにより、試験布を作製した。
【００４９】
また、対照のため、繊維処理剤の代わりに水を２０ｍＬ／ｍ2 の量で大きさが１０ｃｍ×１０ｃｍの木綿布に噴霧することにより、対照試験布を作製した。
【００５０】
試験布および対照試験布をそれぞれ秤量ばかりの上に載せて２５℃で相対湿度が４０％の恒温恒湿器内に入れ、試験布および対照試験布を恒温恒湿器内に入れた時点から該木綿布の水分が０．１ｇ減少するまでに要する時間（以下、乾燥時間という）を調べ、以下の乾燥性の評価基準に基づいて評価した。その結果を表１に示す。
【００５１】
（乾燥性の評価基準）
○：乾燥時間が５分間未満
△：乾燥時間が５分間以上１０分間未満
×：乾燥時間が１０分間以上
【００５２】
次に、乾燥させた試験布および対照試験布を用いて、花粉の付着防止性を以下の方法に従って調べた。その結果を表１に示す。
【００５３】
〔花粉付着防止性〕
乾燥させた試験布または対照試験布〔以下、試験布（対照試験布）という〕に、面積２ｍｍ2 あたりの花粉の付着量が１００〜２００個となるように花粉（スギ花粉）を付着させた。この試験布（対照試験布）に付着している花粉を光学顕微鏡（倍率：１５０倍）で観察し、付着している花粉の数（以下、付着花粉数という）をカウントした。
【００５４】
次に、開口部の直径が９ｃｍの透明樹脂容器を用意し、花粉が付着している面がこの透明樹脂容器の内側に位置するように、前記試験布（対照試験布）を透明樹脂容器の開口部に載せ、その開口部が完全に覆われるようにして試験布（対照試験布）を透明樹脂容器に固定した。
【００５５】
この透明樹脂容器を軽く片手で持ち、試験布（対照試験布）面を他方の手の指先で３回軽く弾くことにより、振動を与えた。その後、試験布（対照試験布）を透明樹脂容器から取り外し、試験布（対照試験布）に付着している花粉を光学顕微鏡（倍率：１５０倍）で観察し、残存している花粉の数（以下、残存花粉数という）をカウントした。
【００５６】
以上の結果から、花粉付着防止率を式：
〔花粉付着防止率〕＝（〔付着花粉数−残存花粉数〕÷〔付着花粉数〕）×１００
に基づいて求め、以下の評価基準に基づいて花粉付着防止性を評価をした。
【００５７】
（花粉付着防止性の評価基準）
◎：花粉付着防止率が８０％以上
○：花粉付着防止率が６５％以上８０％未満
△：花粉付着防止率が５０％以上６５％未満
×：花粉付着防止率が５０％未満
【００５８】
【表１】
2006132073.tif 000002
【００５９】
表１に示した結果から、実験例１〜１１で得られた繊維処理剤は、いずれもオルガノポリシロキサンが溶解ないし分散していることがわかる。
【００６０】
各実験例で得られた繊維処理剤が用いられた試験布は、繊維処理剤で処理されていない対照試験布と対比して、花粉付着防止性に優れていることがわかる。また、実験例２〜１１、特に実験例４〜１１で得られた繊維処理剤が用いられた試験布は、繊維処理剤で処理されていない対照試験布と対比して、乾燥性に優れていることがわかる。
【００６１】
実施例２
オルガノポリシロキサン０．６ｇ〔オルガノシリケート、量はケイ酸含有量への換算値、粒状物（粒径：約６０ｎｍ）〕および界面活性剤として、表２に示す量の界面活性剤Ａ〔ノニオン系界面活性剤（ヤシ油脂肪酸ジエタノールアミド）〕または界面活性剤Ｂ〔カチオン系界面活性剤（モノステアリルアンモニウムクロライド）〕を、表２に示す水と低級アルコール（エタノール）との重量比となるように水と低級アルコールとを混合した混合溶媒３００ｇに添加し、十分に攪拌することにより、繊維処理剤を得た。
【００６２】
得られた繊維処理剤の溶解性を目視で観察し、以下の評価基準に基づいて評価した。その結果を表２に示す。
【００６３】
（繊維処理剤の溶解性の評価基準）
◎：わずかに白濁しているが、完全に分散しており、透明性がある。
○：白濁しているが、ほぼ完全に分散している。透明性がある。
△：白濁しているが、ほぼ分散している。透明性ない。
【００６４】
次に、得られた繊維処理剤を３５０ｍＬ容のトリガー式スプレー容器内に充填し、噴霧製品を作製した。この噴霧製品を用いて、乾燥性および花粉付着防止性を実施例１と同様にして調べた。その結果を表２に示す。
【００６５】
【表２】
2006132073.tif 000003
【００６６】
表２に示した結果から、実験例１２〜２９で得られた繊維処理剤は、いずれもオルガノポリシロキサンが溶解ないし分散していることがわかる。また、界面活性剤が用いられている繊維処理剤は、いずれも分散性に優れることがわかる。
【００６７】
各実験例で得られた繊維処理剤が用いられた試験布は、繊維処理剤で処理されていない対照試験布と対比して、花粉付着防止性に優れていることがわかる。また、実験例１２〜２９で得られた繊維処理剤が用いられた試験布は、繊維処理剤で処理されていない対照試験布と対比して、乾燥性に優れていることがわかる。
【００６８】
実施例３
実験例３で得られた繊維処理剤を３５０ｍＬ容のトリガー式スプレー容器内に充填し、噴霧製品を作製した。この噴霧製品から、繊維処理剤を２０ｍＬ／ｍ2の量で大きさが１０ｃｍ×１０ｃｍの木綿布に噴霧することにより、試験布を作製した。
【００６９】
一方、対照試験布として、繊維処理剤を噴霧していない大きさが１０ｃｍ×１０ｃｍの木綿布を用意した。
【００７０】
次に、試験布および対照試験布を、タバコの煙（副流煙）を充満させた１５Ｌ容のシリンダー内に入れ、５分間経過後に取り出し、１０分間経過後にモニター１０名により、試験布および対照試験布の臭いを嗅いでもらい、試験布および対照試験布の臭いの強弱を評価してもらった。
【００７１】
その結果、タバコの臭いが弱いのが試験布であると評価したモニターは７名、タバコの臭いが弱いのが対照試験布であると評価したモニターは１名、タバコの臭いの強弱がわからないと評価したモニターは２名であった。
【００７２】
以上の結果から、繊維処理剤で繊維を処理することにより、繊維にタバコの臭いが付着するのを防止することができることがわかる。
【００７３】
実施例４
実験例３で得られた繊維処理剤を３５０ｍＬ容のトリガー式スプレー容器内に充填し、噴霧製品を作製した。この噴霧製品から、繊維処理剤を２０ｍＬ／ｍ2の量で大きさが１０ｃｍ×１０ｃｍの木綿布に噴霧することにより、試験布を作製した。
【００７４】
一方、対照試験布として、繊維処理剤を噴霧していない大きさが１０ｃｍ×１０ｃｍの木綿布を用意した。
【００７５】
ハウスダストのモデルとして、コットンリンターを用い、乾燥させた試験布または対照試験布の全面にコットンリンター１ｍｇを均一に付着させた。
【００７６】
次に、開口部の直径が９ｃｍの透明樹脂容器を用意し、コットンリンターが付着している面がこの透明樹脂容器の内側に位置するように、前記試験布（対照試験布）を透明樹脂容器の開口部に載せ、その開口部が完全に覆われるようにして試験布（対照試験布）を透明樹脂容器に固定した。
【００７７】
この透明樹脂容器を軽く片手で持ち、試験布（対照試験布）面を他方の手の指先で３回軽く弾くことにより、振動を与えた。その後、試験布（対照試験布）を透明樹脂容器から取り外し、透明樹脂容器内のコットンリンターを回収し、その重量を測定した。
【００７８】
その結果、試験布を用いた場合の透明樹脂容器内のコットンリンターの量は０．８ｍｇ、対照試験布を用いた場合の透明樹脂容器内のコットンリンターの量は０．４ｍｇであった。このことから、繊維処理剤で繊維を処理することにより、繊維にハウスダストが付着するのを防止することができることがわかる。
【産業上の利用可能性】
【００７９】
本発明の空気中浮遊粒子の付着防止用繊維処理剤は、衣類、布団やソファなどの繊維製品に、スギ花粉などのアレルギーの原因となる花粉や、タバコの煙粒子、ハウスダストなどの空気中浮遊粒子の付着を防止するのに好適に使用することができる。
【００８０】
したがって、本発明の空気中浮遊粒子の付着防止用繊維処理剤は、花粉付着防止用繊維処理剤、タバコの煙粒子付着防止用繊維処理剤、ハウスダスト付着防止用繊維処理剤などとして使用することができる。また、本発明の空気中浮遊粒子の付着防止用繊維処理剤は、スプレー容器に充填することにより、空気中浮遊粒子の付着防止用噴霧製品として用いることができる。